(57)【要約】【課題】材料歩留がよく、端材の処理費等に費用がかからず、部品の製造及び配線の作業効率がよく、リード線を長く必要としない構造の電気部品箱を有する空気調和機の室外機を提供する。【解決手段】本空気調和機の室外機は、圧縮機、熱交換器、この熱交換器に対向して配置される送風機などを収容する室外機本体を具備するインバータ搭載の空気調和機の室外機において、電気部品箱は、下面側にリード線の接続端子や電解コンデンサなどの電気部品が装填された制御基板が内側に収納された枠状の支持体と、支持体の上面に装着され制御基板の上面を覆う天板と、支持体の下面に装着され基板下面の一部に開口部が形成されるように制御基板の下面を覆う底面が台形状あるいは三角形状の底板を形成する板金製の部品箱本体とを備え、前記制御基板に取り付けられたリード線の接続端子は、前記開口部に対向して位置し、電解コンデンサは、前記部品箱本体の底板に対向して位置するとともに、前記開口部は、室外機本体の外周面側に位置する。【選択図】  図３
2005172376.tif 000002
【特許請求の範囲】
【請求項１】
圧縮機と、熱交換器と、この熱交換器に対向して配置される送風機などを収容する室外機本体内に設置され、上記圧縮機、送風機などを駆動制御するための電気制御部品を収納した電気部品箱を備えた空気調和機の室外機において、電気部品箱は、下面側にリード線の接続端子や電解コンデンサなどの電気部品が装填された制御基板が内側に収納された枠状の支持体と、支持体の上面に装着され制御基板の上面を覆う天板と、支持体の下面に装着され基板下面の一部に開口部が形成されるように制御基板の下面を覆う底面が台形状あるいは三角形状の底板を形成する板金製の部品箱本体とを備え、前記制御基板に取り付けられたリード線の接続端子は、前記開口部に対向して位置し、電解コンデンサは、前記部品箱本体の底板に対向して位置するとともに、前記開口部は、室外機本体の外周面側に位置することを特徴とする空気調和機の室外機。
【発明の詳細な説明】
【技術分野】
【０００１】
本発明は空気調和機の室外機に係わり、特に電気部品が装填された制御基板を収納する電気部品箱の構造を改良した空気調和機の室外機に関する。
【背景技術】
【０００２】
一般的なスプリット型空気調和機の室外機は、本体内に、圧縮機、熱交換器、この熱交換器に対向して配置される送風機などを収容するとともに、圧縮機、送風機などを駆動制御するための電気制御部品の制御基板が収納された電気部品箱が組み込まれている。さらに、従来の室外機の電気部品箱は、直方体形状であり、その底面あるいは側面に貫通孔が穿設され、この貫通孔を貫通するリード線を介して、電気部品箱内の電気部品や端子と、電気部品箱外でユニット本体内に収容されたモータや圧縮機とが接続されていた（特許文献１）。
【０００３】
しかしながら、特許文献１に記載の電気部品箱は貫通孔を穿設する必要があるため、加工時に端材が発生して、材料歩留が悪く、また、端材の処理費等に費用が嵩み、さらに、組立作業時にはリード線を貫通孔に通さねばならず、作業効率が悪く、また、側面に切欠あるいは貫通孔を設ける場合は、リード線を側面まで迂回しなければならずリード線のコストアップになっていた。また、電解コンデンサが、底板に対向して位置していないので、発熱量が大きい電解液を多く有する電解コンデンサが万一発火すると火種が下方に落下するおそれがあり、その対策を要していた。
【特許文献１】特開平９−６０９２８号公報（段落［００３６］、図１、図４）
【発明の開示】
【発明が解決しようとする課題】
【０００４】
本発明は上述した事情を考慮してなされたもので、材料歩留がよく、端材の処理費等に費用がかからず、部品の製造及び配線の作業効率がよく、リード線を長く必要としない構造の電気部品箱を有する空気調和機の室外機を提供することを目的とする。
【課題を解決するための手段】
【０００５】
上記目的を達成するため、本発明の１つの態様によれば、圧縮機と、熱交換器と、この熱交換器に対向して配置される送風機などを収容する室外機本体内に設置され、上記圧縮機、送風機などを駆動制御するための電気制御部品を収納した電気部品箱を備えた空気調和機の室外機において、電気部品箱は、下面側にリード線の接続端子や電解コンデンサなどの電気部品が装填された制御基板が内側に収納された枠状の支持体と、支持体の上面に装着され制御基板の上面を覆う天板と、支持体の下面に装着され基板下面の一部に開口部が形成されるように制御基板の下面を覆う底面が台形状あるいは三角形状の底板を形成する板金製の部品箱本体とを備え、前記制御基板に取り付けられたリード線の接続端子は、前記開口部に対向して位置し、電解コンデンサは、前記部品箱本体の底板に対向して位置するとともに、前記開口部は、室外機本体の外周面側に位置することを特徴とする空気調和機の室外機が提供される。
【発明の効果】
【０００６】
本発明に係わる空気調和機の室外機によれば、材料歩留がよく、端材の処理費等に費用がかからず、部品の製造及び配線の作業効率がよく、リード線を長く必要としない構造の電気部品箱を有する空気調和機の室外機を提供することができる。
【発明を実施するための最良の形態】
【０００７】
以下、本発明に係る空気調和機の室外機の一実施形態について添付図面を参照して説明する。
【０００８】
図１は本発明に係る空気調和機の室外機の本体の一部を切欠して示す斜視図であり、図２は図１の電気部品箱近傍を拡大して示す斜視図である。
【０００９】
図１に示すように、本発明に係る電気部品箱１を備えた空気調和機の室外機は、室外機本体２内に、圧縮機３、熱交換器４、この熱交換器４に対向して配置される送風機５などが収容され、さらに、前記電気部品箱１には、圧縮機３、送風機５などを駆動制御するための電気制御部品を装填した制御基板６が収容されている。
【００１０】
図３、図４及び図５に示すように、電気部品箱１は、中央部分に制御基板６が内側に収納される枠状の支持体７を構成させている。この支持体７は、樹脂成形により形成され、外側面に室外機本体２へ取り付けるための係止片が一体的に形成し、また内側面には制御基板６を所定位置で係止固定するための係止爪が形成されている。また、この支持体７の上面側には下面が開放する蓋状の板金製で形成された天板８が嵌め込まれて装着され制御基板の上面を密閉的に覆うように構成している。
【００１１】
上記支持体７に装着される前記制御基板６には、圧縮機、送風機などを駆動制御するための電気部品９が実装されている。即ち、制御基板６には、その長手方向の一側辺部に発熱量が大きく、放熱フィン９ａ１が設けられたＧＴＲ９ａなどが実装され、また、制御基板６の下面側には電解コンデンサ９ｂが取り付けられており、さらに、制御基板６の下面側にはリード線９ｃのコネクタ９ｃ１あるいはファストン端子（図示せず）などの接続端子が取り付けられている。
【００１２】
この支持体７の下面には、制御基板６の下面を覆う部品箱本体１０が設置される。
【００１３】
この部品箱本体１０は、板金製で、底面部１０ａとこの底面部の対向する２つの側面部１０ｂ、１０ｃとを有する断面コ字状をなし、その底面１０ａの形状は例えば台形状あるいは三角形状をなしている。
【００１４】
この部品箱本体１０により、制御基板６の下面を覆った際、その下方が、底面部１０ａで覆われる部分と、底板１０ａで覆われない開口部１１を有している。
【００１５】
部品箱本体１０の底板１０ａの形状を上記構成にすることで、制御基板６に装填されているコンデンサ９ｂは、電気部品箱１が室外機本体２に取り付けられた状態では、台形をなす底板１０ａに対向して位置し、また、コネクタ９ｃ１あるいはファストン端子などの接続端子が開口部１１に対向して位置している。
【００１６】
図２及び図４に示すように、コネクタ９ｃ１あるいはファストン端子などの接続端子が対向する開口部１１は、室外機本体２の外周面側例えば側面２ａに位置し、すなわち、開口部１１が手前側になり、底板１０ａは奥側になる。
【００１７】
また、図６に示すように、部品箱本体１０の製造方法は、プレス成形によって行われ、長方形状の鉄板を用意し、点対称に２個の打抜型が形成されたプレス型を用いて、１度に２枚の部品箱本体１０を打ち抜くようにして行われ、これを断面コ字状に折り曲げて、部品箱本体１０の形状に形成される。
【００１８】
上記のように本実施形態の空気調和機の室外機は、部品箱本体の底面が、台形状あるいは三角形状の底板で形成されているので、開口部を形成するための端材を他の部品として活用でき、部品製造の作業性がよく、また、点対称に１度に２枚の部品箱本体を打ち抜くようにすることが可能となり、材料のロスを抑制でき、さらに、開口部を利用することにより、リード線の配線の迂回をなくすことができ、リード線を長く必要としない。また、リード線のコネクタあるいはファストン端子などの接続端子が、開口部に対向して位置するので、配線を直結することができ、さらに、電解コンデンサが、底板に対向して位置するので、発熱量が大きい電解液を多く有する電解コンデンサが万一発火しても、底板でこれを受け火種が下方に落下するのを防げ、延焼を防止できる。また、開口部は室外機本体の周面側に位置するので、インバータユニットセットの設置後、制御基板への配線接続を容易に行える。
【図面の簡単な説明】
【００１９】
【図１】本発明に係る空気調和機の室外機の本体の一部を切欠して示す斜視図。
【図２】本発明に係る空気調和機の室外機の電気部品箱近傍を拡大して示す斜視図。
【図３】本発明に係る空気調和機の室外機の電気部品箱の斜視図。
【図４】本発明に係る空気調和機の室外機の電気部品箱の平面図。
【図５】本発明に係る空気調和機の室外機の電気部品箱の分解図。
【図６】本発明に係る空気調和機の室外機の電気部品箱の底板の製造工程時の平面図。
【符号の説明】
【００２０】
１…電気部品箱、２…室外機本体、３…圧縮機、４…熱交換器、５…送風機、６…制御基板、７…支持体、８…天板、９…電気部品、９ａ１…放熱フィン、９ｂ…電解コンデンサ、９ｃ…リード線、９ｃ１…コネクタ、１０…部品箱本体、１０ａ…底面部、１０ｂ、１０ｃ…側面部、１１…開口部。
【図１】
2005172376.tif 000003
【図２】
2005172376.tif 000004
【図３】
2005172376.tif 000005
【図４】
2005172376.tif 000006
【図５】
2005172376.tif 000007
【図６】
2005172376.tif 000008